(57)【要約】【課題】本願の目的は、パターニングスリットシートフレーム・アセンブリを提供することである。【解決手段】パターンが形成されたパターニングスリットシートと、パターニングスリットシートを支持するパターニングスリットシートフレームと、パターニングスリットシートが、パターニングスリットシートフレームに配置された後、パターニングスリットシートに引張り力を印加する引張り力印加部と、を具備するパターニングスリットシートフレーム・アセンブリである。【選択図】図１
2014098208.tif 000002
【特許請求の範囲】
【請求項１】
パターンが形成されたパターニングスリットシートと、
前記パターニングスリットシートを支持するパターニングスリットシートフレームと、
前記パターニングスリットシートが、前記パターニングスリットシートフレームに配置された後、前記パターニングスリットシートに引張り力を印加する引張り力印加部と、
を具備することを特徴とするパターニングスリットシートフレーム・アセンブリ。
【請求項２】
前記パターニングスリットシートは、パターニングスリットが形成された中央部と、パターンが形成されていない外郭部と、を具備することを特徴とする請求項１に記載のパターニングスリットシートフレーム・アセンブリ。
【請求項３】
前記パターニングスリットシートは、前記外郭部が前記パターニングスリットシートフレームに溶接されることにより、前記パターニングスリットシートフレームに配置されることを特徴とする請求項２に記載のパターニングスリットシートフレーム・アセンブリ。
【請求項４】
前記引張り力印加部は、前記パターニングスリットシートフレームの内側に配置されることを特徴とする請求項１に記載のパターニングスリットシートフレーム・アセンブリ。
【請求項５】
前記引張り力印加部は、前記パターニングスリットシートと前記パターニングスリットシートフレームとが溶接された位置より中央部に近く配置されることを特徴とする請求項１に記載のパターニングスリットシートフレーム・アセンブリ。
【請求項６】
前記引張り力印加部は、前記パターニングスリットシートの中央部を取り囲むように、前記外郭部に接することを特徴とする請求項２に記載のパターニングスリットシートフレーム・アセンブリ。
【請求項７】
前記引張り力印加部は、前記パターニングスリットシートと前記パターニングスリットシートフレームとが接合された状態で、前記パターニングスリットシートの上部に向けて移動することにより、前記パターニングスリットシートに引張り力を加えることを特徴とする請求項１に記載のパターニングスリットシートフレーム・アセンブリ。
【請求項８】
前記パターニングスリットシートフレームは、前記中央部に対応する貫通部を有するピラー状であることを特徴とする請求項２に記載のパターニングスリットシートフレーム・アセンブリ。
【請求項９】
前記パターニングスリットシートフレームは、その上部面が前記外郭部と接合され、前記中央部は、前記貫通部によって露出されることを特徴とする請求項８に記載のパターニングスリットシートフレーム・アセンブリ。
【請求項１０】
前記引張り力印加部は、前記パターニングスリットシートフレームの内側面に配置され、その上部面が前記外郭部に接することを特徴とする請求項８に記載のパターニングスリットシートフレーム・アセンブリ。
【請求項１１】
前記引張り力印加部は、前記パターニングスリットシートフレームの内側面に沿って昇降することを特徴とする請求項１０に記載のパターニングスリットシートフレーム・アセンブリ。
【請求項１２】
前記引張り力印加部は、前記パターニングスリットシートフレームの内側面に沿って上昇することにより、前記パターニングスリットシートに引張り力を加えることを特徴とする請求項１１に記載のパターニングスリットシートフレーム・アセンブリ。
【請求項１３】
前記引張り力印加部は、ｎ個（ｎは、自然数）の引張り力印加部からなり、
（ｎ＋１）番目の前記引張り力印加部は、ｎ番目の前記引張り力印加部の内側面に配置されることを特徴とする請求項１０に記載のパターニングスリットシートフレーム・アセンブリ。
【請求項１４】
前記パターニングスリットシートフレームは、その内部に前記引張り力印加部を収容するように、収容溝を有することを特徴とする請求項８に記載のパターニングスリットシートフレーム・アセンブリ。
【請求項１５】
前記収容溝内には、前記引張り力印加部が配置され、前記収容溝は、前記外郭部によって覆われることを特徴とする請求項１４に記載のパターニングスリットシートフレーム・アセンブリ。
【請求項１６】
前記引張り力印加部は、前記収容溝内で昇降し、前記引張り力印加部が上昇し、前記収容溝外部に導き出されることにより、前記パターニングスリットシートをぴんと張らせるように引張り力を加えることを特徴とする請求項１５に記載のパターニングスリットシートフレーム・アセンブリ。
【請求項１７】
前記収容溝は、複数個からなり、前記収容溝それぞれには、前記引張り力印加部が配置されることを特徴とする請求項１４に記載のパターニングスリットシートフレーム・アセンブリ。
【請求項１８】
前記収容溝は、前記パターニングスリットシートの中心点から遠くなる方向に、互いに離隔されて配置されることを特徴とする請求項１７に記載のパターニングスリットシートフレーム・アセンブリ。
【請求項１９】
前記引張り力印加部は、複数個からなり、
前記引張り力印加部それぞれは、他の引張り力印加部を収容することができる収容部を具備することを特徴とする請求項１４に記載のパターニングスリットシートフレーム・アセンブリ。
【請求項２０】
前記引張り力印加部は、ｎ個（ｎは、自然数）の引張り力印加部からなり、
第１引張り力印加部は、前記収容溝に収容され、第２引張り力印加部は、前記第１引張り力印加部内に形成された収容部に収容され、（ｎ＋１）番目の引張り力印加部は、ｎ番目の引張り力印加部内に形成された収容部に収容されることを特徴とする請求項１９に記載のパターニングスリットシートフレーム・アセンブリ。
【請求項２１】
前記引張り力印加部は、前記パターニングスリットシートフレームの内側面それぞれに、別途に形成されることを特徴とする請求項１０に記載のパターニングスリットシートフレーム・アセンブリ。
【発明の詳細な説明】
【技術分野】
【０００１】
本発明は、パターニングスリットシートフレーム・アセンブリに関する。
【背景技術】
【０００２】
一般的に、ディスプレイ装置のうち有機発光表示装置は、視野角が広く、コントラストにすぐれるだけではなく、応答速度が速いという長所を有している。
【０００３】
有機発光表示装置は、アノードとカソードとに注入される正孔と電子とが発光層で再結合して発光する原理で、色相を具現することができるものであり、アノードとカソードとの間に発光層を挿入した積層型構造である。しかしながら、前述の構造では、高効率発光を得難いので、それぞれの電極と発光層との間に、電子注入層、電子輸送層、正孔輸送層、及び正孔注入層などの中間層を選択的に追加挿入して利用している。
【０００４】
一方、有機発光表示装置の電極と、発光層を含んだ中間層とは、さまざまな方法によって形成することができるが、このうちの１つの方法が蒸着法である。蒸着方法を利用して、有機発光表示装置を製造するためには、基板上に形成される薄膜のパターンと同一のパターンを有するファインメタル・パターニングスリットシート（ファインメタルマスク（ＦＭＭ））を整列させ、薄膜の原素材を蒸着させて、所望パターンの薄膜を形成する必要がある。
【発明の概要】
【発明が解決しようとする課題】
【０００５】
本発明が解決すべき課題は、パターニングスリットシートがパターニングスリットシートフレームに付着された後にも、パターニングスリットシートに引張り力を加えることができるパターニングスリットシートフレーム・アセンブリを提供することである。
【課題を解決するための手段】
【０００６】
本発明の一実施形態によるパターニングスリットシートフレーム・アセンブリは、パターンが形成されたパターニングスリットシートと、前記パターニングスリットシートを支持するパターニングスリットシートフレームと、前記パターニングスリットシートが前記パターニングスリットシートフレームに配置された後、前記パターニングスリットシートに引張り力を印加する引張り力印加部と、を具備することができる。
【０００７】
前記パターニングスリットシートは、パターニングスリットが形成された中央部と、パターンが形成されていない外郭部と、を具備することができる。
【０００８】
前記パターニングスリットシートは、前記外郭部が前記パターニングスリットシートフレームに溶接されることにより、前記パターニングスリットシートフレームに配置される。
【０００９】
前記引張り力印加部は、前記パターニングスリットシートフレーム内側に配置される。
【００１０】
前記引張り力印加部は、前記パターニングスリットシートと前記パターニングスリットシートフレームとが溶接された位置より中央部に近く配置される。
【００１１】
前記引張り力印加部は、前記パターニングスリットシートの中央部を取り囲むように、前記外郭部に接することができる。
【００１２】
前記引張り力印加部は、前記パターニングスリットシートと前記パターニングスリットシートフレームとが接合された状態で、前記パターニングスリットシート上部に向けて移動することにより、前記パターニングスリットシートに引張り力を加えることができる。
【００１３】
前記パターニングスリットシートフレームは、前記中央部に対応する貫通部を有するピラー状であることができる。
【００１４】
前記パターニングスリットシートフレームは、その上部面が前記外郭部と接合されて、前記中央部は、前記貫通部によって露出することができる。
【００１５】
前記引張り力印加部は、前記パターニングスリットシートフレームの内側面に配置され、その上部面が前記外郭部に接することができる。
【００１６】
前記引張り力印加部は、前記パターニングスリットシートフレームの内側面に沿って昇降することができる。
【００１７】
前記引張り力印加部は、前記パターニングスリットシートフレームの内側面に沿って上昇することにより、前記パターニングスリットシートに引張り力を加えることができる。
【００１８】
前記引張り力印加部は、ｎ個（ｎは、自然数）の引張り力印加部からなり、（ｎ＋１）番目の前記引張り力印加部は、ｎ番目の前記引張り力印加部の内側面に配置される。
【００１９】
前記パターニングスリットシートフレームは、その内部に前記引張り力印加部を収容するように、収容溝を有することができる。
【００２０】
前記収容溝内には、前記引張り力印加部が配置され、前記収容溝は、前記外郭部によって覆われる。
【００２１】
前記引張り力印加部は、前記収容溝内で昇降することができ、前記引張り力印加部が上昇し、前記収容溝外部に導き出されることにより、前記パターニングスリットシートをぴんと張って引張り力を加えることができる。
【００２２】
前記収容溝は、複数個からなり、前記収容溝それぞれには、前記引張り力印加部が配置される。
【００２３】
前記収容溝は、前記パターニングスリットシートの中心点から遠くなる方向に互いに離隔されて配置される。
【００２４】
前記引張り力印加部は、複数個からなり、前記引張り力印加部それぞれは、他の引張り力印加部を収容することができる収容部を具備することができる。
【００２５】
前記引張り力印加部は、ｎ個（ｎは、自然数）の引張り力印加部からなり、第１引張り力印加部は、前記収容溝に収容され、第２引張り力印加部は、前記第１引張り力印加部内に形成された収容部に収容され、（ｎ＋１）番目の引張り力印加部は、ｎ番目の引張り力印加部内に形成された収容部に収容されもする。
【００２６】
前記引張り力印加部は、前記パターニングスリットシートフレームの内側面それぞれに別途に形成されもする。
【発明の効果】
【００２７】
本発明の一実施形態によれば、パターニングスリットシートがパターニングスリットシートフレームに付着された後にも、パターニングスリットシートに引張り力を加えることにより、パターニングスリットシートの開口部の大きさ、均一度及びピクセル位置正確度（ＰＰＡ：pixel position accuracy ）を微細調整することができ、パターニングスリットシートのたるみを防止することができる。
【図面の簡単な説明】
【００２８】
【図１】本発明の一実施形態によるパターニングスリットシートフレーム・アセンブリを概略的に示す平面図である。
【図２】図１のパターニングスリットシートフレーム・アセンブリを概略的に示す断面図である。
【図３】パターニングスリットシートに引張り力が加えられるパターニングスリットシートフレーム・アセンブリの断面図である。
【図４】本発明の他の実施形態によるパターニングスリットシートフレーム・アセンブリを概略的に示す断面図である。
【図５】本発明のさらに他の実施形態によるパターニングスリットシートフレーム・アセンブリを概略的に示す断面図である。
【図６】本発明のさらに他の実施形態によるパターニングスリットシートフレーム・アセンブリを概略的に示す平面図である。
【図７】図６のパターニングスリットシートフレーム・アセンブリを概略的に示す断面図である。
【図８】パターニングスリットシートに引張り力が加えられるパターニングスリットシートフレーム・アセンブリの断面図である。
【図９】本発明のさらに他の実施形態によるパターニングスリットシートフレーム・アセンブリを概略的に示す断面図である。
【図１０】本発明のさらに他の実施形態によるパターニングスリットシートフレーム・アセンブリを概略的に示す断面図である。
【図１１】本発明のさらに他の実施形態によるパターニングスリットシートフレーム・アセンブリを概略的に示す断面図である。
【図１２】本発明のさらに他の実施形態によるパターニングスリットシートフレーム・アセンブリを概略的に示す断面図である。
【図１３】本発明のさらに他の実施形態によるパターニングスリットシートフレーム・アセンブリを概略的に示す平面図である。
【図１４】本発明のさらに他の実施形態によるパターニングスリットシートフレーム・アセンブリを概略的に示す平面図である。
【図１５】発明の一実施形態によるパターニングスリットシートフレーム・アセンブリを利用して製造された有機発光表示装置を概略的に示す断面図である。
【発明を実施するための形態】
【００２９】
以下、添付された図面を参照し、本発明の望ましい実施形態について詳細に説明すれば、次の通りである。
【００３０】
図１は、本発明の一実施形態によるパターニングスリットシートフレーム・アセンブリを概略的に示す平面図であり、図２は、図１のパターニングスリットシートフレーム・アセンブリを概略的に示す断面図である。
【００３１】
図１及び図２を参照すれば、本発明の一実施形態によるパターニングスリットシートフレーム・アセンブリ１００は、パターニングスリットシート１１０、パターニングスリットシートフレーム１２０及び引張り力印加部１３０を具備することができる。
【００３２】
パターニングスリットシート１１０は、中央部１１１と外郭部１１２とからなる。
【００３３】
中央部１１１には、複数個のパターニングスリット１１０ａと、パターニングリブ１１０ｂとが設けられている。パターニングスリット１１０ａは、パターニングスリットシート１１０を貫く開口部である。蒸着物質は、パターニングスリット１１０ａを通過し、パターニングスリットシート１１０上に配置される被蒸着体上に蒸着される。被蒸着体に蒸着される薄膜は、パターニングスリット１１０ａの形状によって、その形態が決定される。すなわち、図１に図示されているように、パターニングスリット１１０ａが長方形である場合には、被蒸着体に蒸着される薄膜の形態も、パターニングスリット１１０ａのような長方形になる。パターニングスリット１１０ａの形状は、長方形だけではなく、多様な形態を有することができる。
【００３４】
パターニングリブ１１０ｂは、互いに隣接するパターニングスリット１１０ａ間に配置されるものであり、パターニングスリットシート１１０で、パターニングスリット１１０ａが形成されて残った部分である。パターニングリブ１１０ｂは、蒸着源から放出される蒸着物質を遮断し、被蒸着体に蒸着物質が蒸着されることを防ぐ。
【００３５】
外郭部１１２は、中央部１１１を取り囲む部分である。外郭部１１２には、パターニングスリットが形成されない。外郭部１１２は、パターニングスリットシートフレーム１２０と接し、パターニングスリットシートフレーム１２０に固定される。外郭部１１２はまた、引張り力印加部１３０と接し、引張り力印加部１３０によって引張り力を直接受ける。これについては、後述する。
【００３６】
パターニングスリットシートフレーム１２０は、パターニングスリットシート１１０を支持して固定する機能を有する。パターニングスリットシートフレーム１２０は、パターニングスリットシート１１０の中央部１１１が露出される貫通部１２１を含み、その上部面には、パターニングスリットシート１１０の外郭部１１２が配置されて固定される。パターニングスリットシートフレーム１２０は、ほぼ窓枠のような形態に形成されてもよい。パターニングスリットシートフレーム１２０は、溶接によってパターニングスリットシート１１０を固定させる。溶接によって、パターニングスリットシート１１０を、パターニングスリットシートフレーム１２０に固定させるときは、パターニングスリットシート１１０が、へこまないでぴんと張っている状態を維持するように、パターニングスリットシート１１０に引張り力を加え、パターニングスリットシートフレーム１２０に溶接して固定する。
【００３７】
引張り力印加部１３０は、パターニングスリットシートフレーム１２０の内側面１２０ａに配置され、その上部面は、パターニングスリットシート１１０の外郭部１１２に接する。引張り力印加部１３０は、中央部１１１を取り囲むように、外郭部１１２と接し、同時に、貫通部１２１を介して、中央部１１１を露出させる。引張り力印加部１３０は、パターニングスリットシートフレーム１２０とは異なり、溶接によってパターニングスリットシート１１０と結合されない。
【００３８】
引張り力印加部１３０は、パターニングスリットシートフレーム１２０の内側面１２０ａに沿って昇降することができる。引張り力印加部１３０は、パターニングスリットシートフレーム１２０の内側面１２０ａに沿って上昇することにより、パターニングスリットシート１１０に引張り力を提供することができる。すなわち、引張り力印加部１３０は、パターニングスリットシート１１０が、パターニングスリットシートフレーム１２０に溶接されて固定された後、パターニングスリットシート１１０に引張り力を提供することができる。
【００３９】
さらに詳細には、図３を参照すれば、引張り力印加部１３０は、パターニングスリットシートフレーム１２０の内側面１２０ａに沿って上昇（Ａ方向）しながら、パターニングスリットシート１１０の外郭部１１２を上昇させる。パターニングスリットシート１１０の外郭部１１２の外側部分は、パターニングスリットシートフレーム１２０の上部面に溶接されて固定されているので、前記のように、引張り力印加部１３０が上昇すれば、パターニングスリットシート１１０の外郭部１１２の外側部分が固定された状態で、パターニングスリットシート１１０の外郭部１１２が上昇するが、パターニングスリットシート１１０には、引張り力Ｂが加えられ、自重によってたるんでいたパターニングスリットシート１１０がぴんと張っているように維持されもする。
【００４０】
従来のマスクとマスクフレームとは、マスクをマスクフレームに固定するとき、マスクを引っ張って固定させた後には、引張り力をマスクに加えることができず、いったんマスクフレームにマスクを溶接した後には、マスクをマスクフレームから分離することができないので、最初に、マスクをマスクフレームに固定させる工程は、多くの時間と高い精度とが要求される。もしマスクに引張り力が誤って加えられ、マスクがねじれてマスクフレームに溶接された場合には、マスクとマスクフレームとを廃棄しなければならないという問題点が発生する。また、蒸着工程が続くことにより、マスクが自重によって下側にたるみ、これにより、マスクに形成された開口部の大きさが不均一になり、ＰＰＡ（pixel position accuracy）が低下するという問題点が発生する。
【００４１】
しかしながら、本発明の一実施形態によるパターニングスリットシートフレーム・アセンブリ１００は、パターニングスリットシート１１０が、パターニングスリットシートフレーム１２０に溶接されて固定された後にも、パターニングスリットシート１１０に引張り力を加えることができるので、パターニングスリットシート１１０を、パターニングスリットシートフレーム１２０に最初溶接するときに、若干の問題がある場合にも、溶接後に、引張り力印加部１３０を利用して、パターニングスリットシート１１０に引張り力を追加的に加え、パターニングスリットシート１１０がさらに微細にぴんと張っている状態を維持することができる。また、連続する蒸着工程によって、パターニングスリットシート１１０が自重によってたるむ場合にも、引張り力印加部１３０を利用して、パターニングスリットシート１１０に引張り力を加え、再びパターニングスリットシート１１０をぴんと張らせるように維持することができる。
【００４２】
図４は、本発明の他の実施形態によるパターニングスリットシートフレーム・アセンブリを概略的に示す平面図である。
【００４３】
図４を参照すれば、本発明の他の実施形態によるパターニングスリットシートフレーム・アセンブリ２００は、引張り力印加部２３０が、第１引張り力印加部２３１と第２引張り力印加部２３２とからなるという点で、図１ないし図３のパターニングスリットシートフレーム・アセンブリ１００と相違する。パターニングスリットシートフレーム・アセンブリ１００と同一の構成要素に係わる説明は、図１ないし３図において説明したので、以下では省略する。
【００４４】
引張り力印加部２３０は、第１引張り力印加部２３１と第２引張り力印加部２３２とからなり、第１引張り力印加部２３１は、パターニングスリットシートフレーム１２０の内側面１２０ａに配置され、第２引張り力印加部２３２は、第１引張り力印加部２３１の内側面２３１ａに配置される。第１引張り力印加部２３１は、パターニングスリットシートフレーム１２０の内側面１２０ａに沿って上下に移動することができ、第２引張り力印加部２３２は、第１引張り力印加部２３１の内側面２３１ａに沿って上下に移動することができる。第１引張り力印加部２３１と第２引張り力印加部２３２とは、互いに独立して移動することができる。望ましくは、第１引張り力印加部２３１が先に上昇し、パターニングスリットシート１１０に引張り力を加え、次に、第２引張り力印加部２３２が上昇し、追加的な引張り力をパターニングスリットシート１１０に印加する。
【００４５】
図５は、本発明のさらに他の実施形態によるパターニングスリットシートフレーム・アセンブリ２００’を概略的に示す平面図である。
【００４６】
図５を参照すれば、本発明のさらに他の実施形態によるパターニングスリットシートフレーム・アセンブリ２００’は、引張り力印加部２３０’が、第１引張り力印加部２３１、第２引張り力印加部２３２、第３引張り力印加部２３３からなるという点で、図１ないし図３のパターニングスリットシートフレーム・アセンブリ１００と相違する。パターニングスリットシートフレーム・アセンブリ１００と同一の構成要素に係わる説明は、図１ないし図３において説明したので、以下では省略する。
【００４７】
引張り力印加部２３０’は、第１引張り力印加部２３１、第２引張り力印加部２３２及び第３引張り力印加部２３３からなり、第１引張り力印加部２３１は、パターニングスリットシートフレーム１２０の内側面１２０ａに配置され、第２引張り力印加部２３２は、第１引張り力印加部２３１の内側面２３１ａに配置され、第３引張り力印加部２３３は、第２引張り力印加部２３２の内側面２３２ａに配置される。第１引張り力印加部２３１は、パターニングスリットシートフレーム１２０の内側面１２０ａに沿って上下に移動することができ、第２引張り力印加部２３２は、第１引張り力印加部２３１の内側面２３１ａに沿って上下に移動することができ、第３引張り力印加部２３３は、第２引張り力印加部２３２の内側面２３２ａに沿って上下に移動することができる。第１引張り力印加部２３１、第２引張り力印加部２３２、第３引張り力印加部２３３は、互いに独立して移動することができる。望ましくは、第１引張り力印加部２３１が先に上昇し、パターニングスリットシート１１０に引張り力を加え、次に、第２引張り力印加部２３２が上昇し、追加的な引張り力をパターニングスリットシート１１０に印加し、その後、第３引張り力印加部２３３が上昇し、追加的な引張り力をパターニングスリットシート１１０に印加する。
【００４８】
本発明は、これに限定されるものではなく、引張り力印加部は、ｎ個（ｎは、自然数）の引張り力印加部から構成されてもよい。その場合、（ｎ＋１）番目の前記引張り力印加部は、ｎ番目の前記引張り力印加部の内側面に配置される。
【００４９】
図６は、本発明のさらに他の実施形態によるパターニングスリットシートフレーム・アセンブリを概略的に示す平面図であり、図７は、図６のパターニングスリットシートフレーム・アセンブリを概略的に示す断面図であり、図８は、パターニングスリットシートに引張り力が加えられるパターニングスリットシートフレーム・アセンブリの断面図である。
【００５０】
本発明のさらに他の実施形態によるパターニングスリットシートフレーム・アセンブリ３００は、パターニングスリットシートフレーム３２０と、引張り力印加部３３０とにおいて、図１ないし図３のパターニングスリットシートフレーム・アセンブリ１００と相違する。パターニングスリットシートフレーム・アセンブリ１００と同一の構成要素に係わる説明は、図１ないし図３において説明したので、以下では省略する。
【００５１】
図６及び図７を参照すれば、引張り力印加部３３０が、パターニングスリットシートフレーム３２０の内部に配置される。すなわち、パターニングスリットシートフレーム３２０は、引張り力印加部３３０を収容することができる収容溝３２０ａを有する。収容溝３２０ａは、パターニングスリットシートフレーム３２０の上部面、すなわち、パターニングスリットシート１１０に向けて開放されている。収容溝３２０ａ内には、引張り力印加部３３０が配置され、引張り力印加部３３０は、収容溝３２０ａから突出するように上昇することができる。
【００５２】
引張り力印加部３３０は、パターニングスリットシートフレーム３２０の収容溝３２０ａから突出して上昇することにより、パターニングスリットシート１１０に引張り力を提供することができる。すなわち、パターニングスリットシート１１０の最外郭側部がパターニングスリットシートフレーム３２０に溶接されて固定された後、引張り力印加部３３０が上昇することにより、パターニングスリットシート１１０に引張り力を提供することができる。
【００５３】
さらに詳細には、図８を参照すれば、引張り力印加部３３０は、パターニングスリットシートフレーム１２０の収容溝３２０ａから突出するように上昇（Ａ方向）しながら、パターニングスリットシート１１０の外郭部１１２を上昇させる。パターニングスリットシート１１０の外郭部１１２の外側部分は、パターニングスリットシートフレーム３２０の上部面に溶接されて固定されているので、前記のように、引張り力印加部１３０が上昇すれば、パターニングスリットシート１１０の外郭部１１２の外側部分が固定された状態で、パターニングスリットシート１１０の外郭部１１２が上昇するが、パターニングスリットシート１１０には、引張り力Ｂが加えられ、自重によってたるんでいたパターニングスリットシート１１０がぴんと張っているように維持されもする。
【００５４】
図９は、本発明のさらに他の実施形態によるパターニングスリットシートフレーム・アセンブリ４００を概略的に示す断面図である。
【００５５】
図９を参照すれば、本発明の他の実施形態によるパターニングスリットシートフレーム・アセンブリ４００は、引張り力印加部４３０が、第１引張り力印加部４３１と第２引張り力印加部４３２とからなり、それらが、それぞれ第１収容溝４２０ａと第２収容溝４２０ｂとに収容されるという点で、図６ないし図８のパターニングスリットシートフレーム・アセンブリ３００と相違する。図６ないし図８のパターニングスリットシートフレーム・アセンブリ３００と同一の構成要素に係わる説明は、図６ないし図８において説明したので、以下では省略する。
【００５６】
パターニングスリットシートフレーム４２０は、第１収容溝４２０ａと第２収容溝４２０ｂとを有する。第１収容溝４２０ａは、第２収容溝４２０ｂよりパターニングスリットシート１１０の中心からさらに遠く形成される。第１収容溝４２０ａと第２収容溝４２０ｂとは、パターニングスリットシートフレーム４２０の上部面、すなわち、パターニングスリットシート１１０に向けて開放されている。第１収容溝４２０ａ内には、第１引張り力印加部４３１が配置され、第２収容溝４２０ｂ内には、第２引張り力印加部４３２が配置され、第１引張り力印加部４３１及び第２引張り力印加部４３２は、第１収容溝４２０ａ及び第２収容溝４２０ｂから突出するように上昇する。第１引張り力印加部４３１と第２引張り力印加部４３２とは、互いに独立して移動することができる。望ましくは、第１引張り力印加部４３１が先に上昇し、パターニングスリットシート１１０に引張り力を加え、次に、第２引張り力印加部４３２が上昇し、追加的な引張り力をパターニングスリットシート１１０に印加する。
【００５７】
図１０は、本発明のさらに他の実施形態によるパターニングスリットシートフレーム・アセンブリ４００’を概略的に示す断面図である。
【００５８】
図１０を参照すれば、本発明の他の実施形態によるパターニングスリットシートフレーム・アセンブリ４００’は、引張り力印加部４３０’が、第１引張り力印加部４３１、第２引張り力印加部４３２、及び、第３引張り力印加部４３３からなり、それらがそれぞれ、第１収容溝４２０’ａ、第２収容溝４２０’ｂ、及び第３収容溝４２０’ｃに収容されるという点で、図６ないし図８のパターニングスリットシートフレーム・アセンブリ３００と相違する。図６ないし図８のパターニングスリットシートフレーム・アセンブリ３００と同一の構成要素に係わる説明は、図６ないし図８において説明したので、以下では省略する。
【００５９】
パターニングスリットシートフレーム４２０’は、第１収容溝４２０’ａ、第２収容溝４２０’ｂ、及び、第３収容溝４２０’ｃを有する。第１収容溝４２０’ａは、第２収容溝４２０’ｂよりパターニングスリットシート１１０の中心からさらに遠く形成され、第２収容溝４２０’ｂは、第３収容溝４２０’ｃよりパターニングスリットシート１１０の中心からさらに遠く形成される。第１収容溝４２０’ａ、第２収容溝４２０’ｂ、及び、第３収容溝４２０’ｃは、パターニングスリットシートフレーム４２０の上部面、すなわち、パターニングスリットシート１１０に向けて開放されている。第１収容溝４２０’ａ内には、第１引張り力印加部４３１が配置され、第２収容溝４２０’ｂ内には、第２引張り力印加部４３２が配置され、第３収容溝４２０’ｃ内には、第３引張り力印加部４３３が配置される。第１引張り力印加部４３１、第２引張り力印加部４３２、及び第３引張り力印加部４３３は、第１収容溝４２０’ａ、第２収容溝４２０’ｂ、及び第３収容溝４２０’ｃから突出するように上昇する。第１引張り力印加部４３１、第２引張り力印加部４３２、及び、第３引張り力印加部４３３は、互いに独立して移動することができる。望ましくは、第１引張り力印加部４３１が先に上昇し、パターニングスリットシート１１０に引張り力を加え、次に、第２引張り力印加部４３２が上昇し、追加的な引張り力をパターニングスリットシート１１０に印加する。また、第３引張り力印加部４３３が上昇し、追加的な引張り力をパターニングスリットシート１１０に印加する。
【００６０】
本発明は、それに限定されるものではなく、引張り力印加部は、ｎ個（ｎは、自然数）の引張り力印加部から構成されてもよい。その場合、（ｎ＋１）番目の前記引張り力印加部は、ｎ番目の前記引張り力印加部よりパターニングスリットシートの中心にさらに近く配置される。
【００６１】
図１１は、本発明のさらに他の実施形態によるパターニングスリットシートフレーム・アセンブリ５００を概略的に示す断面図である。
【００６２】
図１１を参照すれば、本発明のさらに他の実施形態によるパターニングスリットシートフレーム・アセンブリ５００は、１つの収容溝５２０ａ内に、複数個からなる引張り力印加部５３０が配置される。さらに詳細には、第１引張り力印加部５３１が収容溝５２０ａ内に配置され、第１引張り力印加部５３１内には、第２引張り力印加部５３２を収容することができる収容部５３１ａが形成され、第２引張り力印加部５３２は、収容部５３１ａ内に配置される。
【００６３】
第１引張り力印加部５３１は、収容溝５２０ａから突出するように上昇し、第２引張り力印加部５３２は、収容部５３１ａから突出するように上昇する。
【００６４】
第１引張り力印加部５３１より外側に位置するパターニングスリットシート１１０の側部が、パターニングスリットシートフレーム５２０と溶接されて固定されているが、第１引張り力印加部５３１が収容溝５２０ａから突出して上昇しながら、パターニングスリットシート１１０に引張り力が加えられ、また、第２引張り力印加部５３２が収容部５３１ａから突出して上昇することにより、追加的な引張り力がパターニングスリットシート１１０に印加される。
【００６５】
図１２は、本発明のさらに他の実施形態によるパターニングスリットシートフレーム・アセンブリ５００’を概略的に示す断面図である。
【００６６】
図１２のパターニングスリットシートフレーム・アセンブリ５００’は、引張り力印加部５３０’が３個からなるという点で、図１１のパターニングスリットシートフレーム・アセンブリ５００と相違する。
【００６７】
すなわち、図１２のパターニングスリットシートフレーム・アセンブリ５００’は、第１引張り力印加部５３１が収容溝５２０ａ内に配置され、第１引張り力印加部５３１内には、第２引張り力印加部５３２を収容することができる収容部５３１ａが形成され、第２引張り力印加部５３２内には、第３引張り力印加部５３３を収容することができる収容部５３２ａが形成され、第２引張り力印加部５３２は、収容部５３１ａ内に配置され、第３引張り力印加部５３３は、収容部５３２ａ内に配置される。
【００６８】
第１引張り力印加部５３１は、収容溝５２０ａから突出するように上昇し、第２引張り力印加部５３２は、収容部５３１ａから突出するように上昇し、第３引張り力印加部５３３は、収容部５３２ａから突出するように上昇することができる。
【００６９】
第１引張り力印加部５３１より外側に位置するパターニングスリットシート１１０の側部が、パターニングスリットシートフレーム５２０と溶接されて固定されているが、第１引張り力印加部５３１が収容溝５２０ａから突出して上昇しながら、パターニングスリットシート１１０に引張り力が加えられ、また、第２引張り力印加部５３２が収容部５３１ａから突出して上昇することにより、追加的な引張り力がパターニングスリットシート１１０に印加される。また、第３引張り力印加部５３３が、収容部５３２ａから突出して上昇することにより、追加的な引張り力がパターニングスリットシート１１０に印加される
【００７０】
図１３は、本発明のさらに他の実施形態によるパターニングスリットシートフレーム・アセンブリ６００を概略的に示す平面図である。
【００７１】
図１３のパターニングスリットシートフレーム・アセンブリ６００において、パターニングスリットシートフレーム６２０の内側面には、複数個の引張り力印加部６３１，６３２，６３３，６３４が配置される。すなわち、パターニングスリットシートフレーム６２０の内側面のうち、互いに対向する長辺を有する内側面それぞれには、第１引張り力印加部６３１と第２引張り力印加部６３２とが配置され、パターニングスリットシートフレーム６２０の内側面のうち、互いに対向する短辺を有する内側面それぞれには、第３引張り力印加部６３３と第３引張り力印加部６３４とが配置される。第１引張り印加部６３１ないし第４引張り力印加部６３４は、互いに別途にまたは同時にパターニングスリットシートフレーム６２０の内側面に沿って上昇することができる。第１引張り印加部６３１ないし第４引張り力印加部６３４は、互いに別途に上昇することにより、パターニングスリットシートの上下左右それぞれに、互いに異なる引張り力を印加することができ、パターニングスリットシートに対するさらに精緻な制御が可能である。
【００７２】
図１４は、本発明のさらに他の実施形態によるパターニングスリットシートフレーム・アセンブリ６００’を概略的に示す平面図である。
【００７３】
図１４のパターニングスリットシートフレーム・アセンブリ６００’は、第１引張り力印加部６３１及び第２引張り力印加部６３２が複数個の引張り力印加部材６３１ａ，６３１ｂ，６３１ｃ；６３２ａ，６３２ｂ，６３２ｃからなるという点で、図１３のパターニングスリットシートフレーム・アセンブリ６００と相違する。
【００７４】
図１４を参照すれば、第１引張り力印加部６３１及び第２引張り力印加部６３２は、それぞれ互いに対向するようにパターニングスリットシートフレーム６２０の内側面に配置され、第１引張り力印加部６３１は、第１引張り力印加部材６３１ａ、第２引張り力印加部材６３１ｂ、及び、第３引張り力印加部材６３１ｃからなり、第２引張り力印加部６３２は、第４引張り力印加部材６３２ａ、第５引張り力印加部材６３２ｂ、及び、第６引張り力印加部材６３２ｃからなる。それぞれの引張り力印加部材６３１ａ，６３１ｂ，６３１ｃ；６３２ａ，６３２ｂ，６３２ｃは、互いに独立して上昇し、パターニングスリットシートに引張り力を提供することができる。
【００７５】
図１５は、発明の一実施形態によるパターニングスリットシートフレーム・アセンブリ１００，２００，２００’，３００，４００，４００’，５００，５００’，６００，６００’を利用して製造された有機発光表示装置を概略的に示す断面図である。
【００７６】
図１５を参照すれば、前記能動マトリックス型の有機発光ディスプレイ装置は、基板５０上に形成される。前記基板５０は、透明な素材、例えば、ガラス材、プラスチック材または金属材から形成されてもよい。前記基板５０上には、全体的にバッファ層のような絶縁膜５１が形成されている。
【００７７】
前記絶縁膜５１上には、図面から分かるように、薄膜トランジスタ（ＴＦＴ）と、有機発光素子（ＯＬＥＤ）とが形成される。
【００７８】
前記絶縁膜５１の上面には、所定パターンに配列された半導体活性層５２が形成されている。前記半導体活性層５２は、ゲート絶縁膜５３によって埋め込まれている。前記活性層５２は、ｐ型またはｎ型の半導体で具備されてもよい。ここで、符号番号５２ａ，５２ｂ，５２ｃは、それぞれチャネル領域、ソース領域、ドレイン領域を指す。
【００７９】
前記ゲート絶縁膜５３の上面には、前記活性層５２と対応するところに、ＴＦＴのゲート電極５４が形成される。そして、前記ゲート電極５４を覆うように、階間絶縁膜５５が形成される。前記階間絶縁膜５５が形成された後には、ドライエッチングなどのエッチング工程によって、前記ゲート絶縁膜５３と階間絶縁膜５５とをエッチングしてコンタクトホールを形成させ、前記活性層５２の一部を露出させる。
【００８０】
その次に、前記階間絶縁膜５５上に、ソース／ドレイン電極５６，５７が形成されるが、コンタクトホールを介して露出させた活性層５２に接触するように形成される。前記ソース／ドレイン電極５６，５７を覆うように、保護膜５８が形成され、エッチング工程を介して、前記ドレイン電極５７の一部を露出させる。前記保護膜５８上では、保護膜５８の平坦化のために別途の絶縁膜５９をさらに形成することもできる。
【００８１】
一方、前記有機発光素子（ＯＬＥＤ）は、電流の流れによって、赤色、緑色、青色の光を発光させ、所定の画像情報を表示するためのものであり、前記保護膜５８上に、第１電極６１を形成する。前記第１電極６１は、ＴＦＴのドレイン電極５７と電気的に連結される。
【００８２】
そして、前記第１電極６１を覆うように、画素定義膜６０が形成される。この画素定義膜６０に、所定の開口を形成した後、この開口で限定された領域内に、発光層を含む有機層６３を形成する。そして、有機層６３上には、第２電極６２を形成する。
【００８３】
前記画素定義膜６０は、各画素を区画するものであり、有機物から形成され、第１電極６１が形成されている基板の表面、特に、絶縁膜５９の表面を平坦化する。
【００８４】
前記第１電極６１と第２電極６２とは、互いに絶縁されており、発光層を含む有機層６３に、互いに異なる極性の電圧を加えて発光を行わせる。
【００８５】
前記発光層を含む有機層６３は、低分子または高分子の有機物が使用されるが、低分子有機物を使用する場合、正孔注入層（ＨＩＬ：hole injection layer）、正孔輸送層（ＨＴＬ：hole transport layer）、発光層（ＥＭＬ：emission layer）、電子輸送層（ＥＴＬ：electron transport layer）、電子注入層（ＥＩＬ：electron injection layer）などが、単一あるいは複合の構造で積層されて形成され、使用可能な有機材料も、銅フタロシアニン（ＣｕＰｃ）、Ｎ，Ｎ−ジ（ナフタレン−１−イル）−Ｎ、Ｎ’−ジペニル−ベンジジン（ＮＰＢ）、トリス（８−キノリノラト）アルミニウム（Ａｌｑ３）などを含めて多様に適用可能である。
【００８６】
ここで、前記発光層を含む有機層６３は、例えば、図１に図示されたパターニングスリットシートフレーム・アセンブリ１００を介して蒸着されもする。すなわち、蒸着物質を放射する蒸着源、蒸着源と対向されるように配置されて複数個のパターニングスリットが形成されるパターニングスリットシート及びパターニングスリットシートフレームを含む有機層蒸着装置は、被蒸着用基板がパターニングスリットシート１１０と密着されて配置された後、有機層蒸着装置の蒸着源から放射される蒸着物質が、パターニングスリットシート１１０のパターニングスリット１１０ａを通過し、基板上に蒸着されるのである。
【００８７】
このような有機発光膜を形成した後には、第２電極６２をも同一の蒸着工程で形成することができる。
【００８８】
一方、前記第１電極６１は、アノード電極の機能を行い、前記第２電極６２は、カソード電極の機能が行うことができるが、それら第１電極６１と第２電極６２との極性は、反対になっても差し支えないということは、いうまでもない。そして、第１電極６１は、各画素の領域に対応するように、パターニングされ、第２電極６２は、全ての画素を覆うように形成される。
【００８９】
前記第１電極６１は、透明電極または反射型電極として具備されるが、透明電極として使用されるときには、酸化インジウムスズ（ＩＴＯ）、酸化インジウム亜鉛（ＩＺＯ）、ＺｎＯまたはＩｎ２Ｏ３で具備され、反射型電極として使用されるときには、Ａｇ、Ｍｇ、Ａｌ、Ｐｔ、Ｐｄ、Ａｕ、Ｎｉ、Ｎｄ、Ｉｒ、Ｃｒ及びそれらの化合物などで反射層を形成した後、さらにＩＴＯ、ＩＺＯ、ＺｎＯまたはＩｎ２Ｏ３で透明電極層を形成することができる。このような第１電極６１は、スパッタリング法などによって成膜された後、フォトリソグラフィ法などによってパターニングされる。
【００９０】
一方、前記第２電極６２も、透明電極または反射型電極として具備されるが、透明電極として使用されるときには、該第２電極６２がカソード電極として使用されるので、仕事関数が小さい金属、すなわち、Ｌｉ、Ｃａ、ＬｉＦ／Ｃａ、ＬｉＦ／Ａｌ、Ａｌ、Ａｇ、Ｍｇ及びそれらの化合物が、発光層を含む有機層６３の方向に向かうように蒸着された後、さらに、ＩＴＯ、ＩＺＯ、ＺｎＯまたはＩｎ２Ｏ３などで補助電極層やバス電極ラインを形成することができる。そして、反射型電極として使用されるときには、上述のＬｉ、Ｃａ、ＬｉＦ／Ｃａ、ＬｉＦ／Ａｌ、Ａｌ、Ａｇ、Ｍｇ及びそれらの化合物を全面蒸着して形成する。このとき、蒸着は、前述の発光層を含む有機層６３の場合と同様の方法で行うことができる。
【００９１】
本発明は、それ以外にも、有機ＴＦＴの有機層または無機膜などの蒸着にも使用することができ、その他、多様な素材の成膜工程に適用可能である。
【００９２】
本発明は、図面に図示された実施形態を参照して説明したが、それらは例示的なものに過ぎず、当技術分野で当業者であるならば、それらから多様な変形及び均等な他の実施形態が可能であるという点を理解することができるであろう。従って、本発明の真の技術的保護範囲は、特許請求の範囲の技術的思想によって決定されるものである。
【産業上の利用可能性】
【００９３】
本発明のパターニングスリットシートフレーム・アセンブリは、例えば、薄膜蒸着関連の技術分野に効果的に適用可能である。
【符号の説明】
【００９４】
５０    基板
５１,５９    絶縁膜
５２    活性層
５２ａ    チャネル領域
５２ｂ    ソース領域
５２ｃ    ドレイン領域
５３    ゲート絶縁膜
５４    ゲート電極
５５    層間絶縁膜
５６    ソース電極
５７    ドレイン電極
５８    保護膜
６０    画素定義膜
６１    第１電極
６２    第２電極
６３    有機層
100, 200, 200’, 300, 400, 400’, 500, 500’, 600, 600’     パターニングスリットシートフレーム・アセンブリ
１１０    パターニングスリットシート
１１０ａ    パターニングスリット
１１０ｂ    パターニングリブ
１１１    中央部
１１２    外郭部
１２０，２２０，３２０，４２０，  ４２０’，５２０，６２０    パターニングスリットシートフレーム
１２０ａ    パターニングスリットシートフレームの内側面
１２１    貫通部
１３０，２３０，２３０’，３３０，４３０，４３０’，５３０，５３０’      引張り力印加部
２３１，４３１，５３１，６３１    第１引張り力印加部
２３１ａ    第１引張り力印加部の内側
２３２，４３２，５３２，６３２    第２引張り力印加部
２３２ａ    第２引張り力印加部の内側
２３３，４３３，５３３，６３３    第３引張り力印加部
３２０ａ，５２０ａ    収容溝
４２０ａ，４２０’ａ    第１収容溝
４２０ｂ，４２０’ｂ    第２収容溝
４３０’ｃ    第３収容溝
５３１ａ，５３２ａ    収容部
６３１ａ，６３１ｂ,６３１ｃ,６３２ａ,６３２ｂ,６３２ｃ    引張り力印加部材
６３４    第４引張り力印加部
【図１】
2014098208.tif 000003
【図２】
2014098208.tif 000004
【図３】
2014098208.tif 000005
【図４】
2014098208.tif 000006
【図５】
2014098208.tif 000007
【図６】
2014098208.tif 000008
【図７】
2014098208.tif 000009
【図８】
2014098208.tif 000010
【図９】
2014098208.tif 000011
【図１０】
2014098208.tif 000012
【図１１】
2014098208.tif 000013
【図１２】
2014098208.tif 000014
【図１３】
2014098208.tif 000015
【図１４】
2014098208.tif 000016
【図１５】
2014098208.tif 000017